(57)【要約】【課題】伸線用ダイスの位置をワイヤのダイス孔に対する当たりが均一で引き抜いたワイヤが真っ直ぐになるよう容易に調整できるようにする。【解決手段】伸線機本体２に対し平行移動可能なホルダ４と、ホルダ４に対し回動可能なケース５と、ケース５内に伸線用ダイス８を保持するダイスナット１０とでダイス調整保持器１を構成し、伸線用ダイス８に通して引き抜いたワイヤの曲がり方向がホルダ４を介して伸線用ダイス８の平行移動可能な方向となるようにケース５を回転させ、次いで調整ネジ１６によりホルダ４をワイヤの曲がり方向へ平行移動させることにより、ワイヤの曲がりクセが略無くなるようにする。【選択図】図１
2010110781.tif 000002
【特許請求の範囲】
【請求項１】
伸線用ダイスを保持するダイス保持機構と、保持した伸線用ダイスをそのダイス孔の軸線を中心として回転させて回転位置を調整可能とする回転位置調整機構と、前記伸線用ダイスをそのダイス孔の軸線に対し略直角に一方向へ平行移動させて軸線位置を調整可能とする軸線位置調整機構とを有することを特徴とするダイス調整保持器。
【請求項２】
伸線加工するワイヤの線径よりも孔径の大きいダイス孔を有するワイヤ入線方向調整用のガイドダイスを前記伸線用ダイスのワイヤ挿通方向上流側に保持するガイドダイス保持機構を有する請求項１記載のダイス調整保持器。
【請求項３】
伸線用ダイスのダイス孔にワイヤを通して引き抜き、その引き抜いたワイヤの曲がり方向を確認して、その曲がり方向が伸線用ダイスをそのダイス孔の軸線に対し略直角に平行移動可能な方向と略一致するよう前記伸線用ダイスの回転位置を調整し、
前記伸線用ダイスのダイス孔に通して引き抜いたワイヤの曲がり方向が伸線用ダイスが平行移動可能な前記方向と略一致した段階で、前記伸線用ダイスのダイス孔に通して引き抜いたワイヤに曲がりクセが略無くなるまで前記ワイヤの曲がり方向に前記伸線用ダイスを平行移動させて該伸線用ダイスのダイス孔の軸線位置を調整し保持することを特徴とするダイス調整保持方法。
【発明の詳細な説明】
【技術分野】
【０００１】
本発明は、伸線機にセットされるダイス（伸線用ダイス）の位置を調整可能とするダイス調整保持器およびダイス調整保持方法に関する。
【背景技術】
【０００２】
伸線機にセットされたダイス（伸線用ダイス）にワイヤ（金属線）を通すと、通常はワイヤのダイス孔に対する当たりがワイヤ周方向に不均一となって、偏った方向に応力が集中し、そのまま引き抜くとワイヤにカール状の曲がりクセがついてしまう。そのため、伸線工程における最後のダイス（上がりダイス）については、ワイヤのダイス孔に対する当たりが均一で、引き抜いたワイヤが真っ直ぐになるように、ダイスの位置を調整可能なものとすることが要求される。
【０００３】
そのように伸線用ダイスの位置を調整する手段として、ダイス孔を通して引き抜いたワイヤのクセの状態を確認しながら、ダイス円周方向の３個所あるいは４個所に設けられた調整ボルトの押し込み量を調整してワイヤ入線方向に対しダイス面が垂直になるようダイスの位置及び傾きを調整するものが知られている（例えば、特許文献１参照。）。その他、ダイスをワイヤに対して２方向に平行移動させるものも知られている。
【特許文献１】実開昭５８−１９４８１４号公報
【発明の開示】
【発明が解決しようとする課題】
【０００４】
しかしながら、ダイス円周方向の３個所あるいは４個所の調整ボルトの押し込み量を調整してワイヤ入線方向に対しダイス面が垂直になるようダイスの位置及び傾きを調整するという三次元的な操作を必要とする調整は、長年の経験と勘に頼るところが大きくて、熟練者にしかできず、しかも調整作業に時間がかかる。また、ダイスをワイヤに対して２方向に平行移動させるものは、二次元的な操作になるが、やはり非熟練者には容易でない。
【０００５】
本発明は、こうした問題を解決するもので、伸線機にセットされる伸線用ダイスの位置をワイヤのダイス孔に対する当たりが均一で引き抜いたワイヤが真っ直ぐになるように調整するのが容易なダイス調整保持器およびダイス調整保持方法を提供することを目的とする。
【課題を解決するための手段】
【０００６】
本発明のダイス調整保持器は、伸線用ダイスを保持するダイス保持機構と、保持した伸線用ダイスをそのダイス孔の軸線を中心として回転させて回転位置を調整可能とする回転位置調整機構と、伸線用ダイスをそのダイス孔の軸線に対し略直角に一方向へ平行移動させて軸線位置を調整可能とする軸線位置調整機構とを有する。
【０００７】
このダイス調整保持器は、伸線加工するワイヤの線径よりも孔径の大きいダイス孔を有するワイヤ入線方向調整用のガイドダイスを伸線用ダイスのワイヤ挿通方向上流側に保持するガイドダイス保持機構を有するものであってよい。
【０００８】
このダイス調整保持器は、回転位置調整機構の操作により、ダイス孔に通して引き抜いたワイヤの曲がり方向が軸線位置調整機構により伸線用ダイスを平行移動可能な方向と略一致するよう伸線用ダイスの回転位置を調整することができる。そして、ワイヤの曲がり方向が伸線用ダイスの平行移動可能な方向と略一致すると、後は、軸線位置調整機構を操作してワイヤの曲がり方向に伸線用ダイスを平行移動させることで、曲がりクセの原因であったワイヤのダイス孔に対する当たりの不均一とそれによる過度に偏った応力集中を緩和し、ワイヤに曲がりクセが生じないようにすることができる。
【０００９】
回転位置調整機構の操作により、ダイス孔に通して引き抜いたワイヤの曲がり方向が軸線位置調整機構により伸線用ダイスを平行移動可能な方向と略一致するよう伸線用ダイスの回転位置を調整することは、ワイヤの曲がり具合を直接見ながらそれに合わせて伸線用ダイスを回転させるだけであるので、熟練者でなくても容易に行える。そして、こうして伸線用ダイスの回転位置を調整した後は、軸線位置調整機構を操作して一方向（ワイヤの曲がり方向）に伸線用ダイスを平行移動させるという一次元の調整だけとなり、熟練者でなくても容易に調整できる。そして、それらの調整作業に時間はかからない。
【００１０】
また、ダイス調整保持器が、伸線加工するワイヤの線径よりも孔径の大きいダイス孔を有するワイヤ入線方向調整用のガイドダイスを伸線用ダイスのワイヤ挿通方向上流側に保持するガイドダイス保持機構を有するものである場合、伸線用ダイスのダイス孔に送られるワイヤのパスラインがガイドダイスによって固定され、伸線用ダイスへのワイヤ入線方向がガイドダイスを起点とする方向に調整される。そして、そのガイドダイスを起点とするワイヤのパスラインは短くなり、伸線用ダイスの位置調整、特に平行移動による軸線位置調整の際に、小さな調整幅でワイヤと伸線用ダイスとの当たり具合を調整できるようになり、また、その間のワイヤのぶれが小さくなる。そして、ワイヤ入線方向に対し伸線用ダイスのダイス面が略垂直になるようにガイドダイスによってワイヤ入線方向を調整することができ、そうすることで、特に、軸線位置調整機構により伸線用ダイスを一方向へ平行移動させ軸線位置を調整する際に、小さい調整幅でワイヤのダイス孔に対する当たり具合を調整して曲がりクセが生じないようにすることができるようになり、調整しやすくなって、調整作業にかかる時間も短くなり、また、調整機構の小型化も可能になる。
【００１１】
また、本発明のダイス調整保持方法は、伸線用ダイスのダイス孔にワイヤを通して引き抜き、その引き抜いたワイヤの曲がり方向を確認して、その曲がり方向が伸線用ダイスをそのダイス孔の軸線に対し略直角に平行移動可能な方向と略一致するよう伸線用ダイスの回転位置を調整し、伸線用ダイスのダイス孔に通して引き抜いたワイヤの曲がり方向が伸線用ダイスが平行移動可能な方向と略一致した段階で、伸線用ダイスのダイス孔に通して引き抜いたワイヤに曲がりクセが略無くなるまでワイヤの曲がり方向に伸線用ダイスを平行移動させて伸線用ダイスのダイス孔の軸線位置を調整し保持するものである。
【発明の効果】
【００１２】
本発明によれば、伸線用ダイスの回転と一方向への平行移動だけで、伸線機にセットされる伸線用ダイスの位置をワイヤのダイス孔に対する当たりが均一で引き抜いたワイヤが真っ直ぐになるように調整することができ、調整が容易で、作業時間が大幅に短縮される。
【発明を実施するための最良の形態】
【００１３】
以下、本発明の実施形態を図面に基づいて説明する。
図１は本発明の実施形態の第１例を示している。
この実施形態において、ダイス調整保持器１は、伸線機本体２に固定された円環板状の固定部材３に外方側から径方向に遊びのある状態で挿着され外周中央の鍔部４ａの部分で固定部材３にシール保持されて取り付けられる鍔付き筒状のホルダ４と、このホルダ４の内周部に外方から回動可能な摺接状態で挿着されたダイス保持用の筒状のケース５と、このケース５の内部に伸線機本体１に向く側から挿入され先端ネジ部６がケース５の内周ネジ部７にねじ込まれて、伸線用ダイス８をケース５の内周段差部９に押し付けて保持するダイスナット１０とを備えている。
【００１４】
そして、ケース５には、ホルダ４の内周に接する外周部の鍔部３より外寄りの位置に周方向環状に溝１１が設けられ、ホルダ４には、ケース５の溝１１と重なる上部位置にホルダ４の外周から内周まで貫通する１個のネジ孔１２が設けられている。
【００１５】
ホルダ４のネジ孔１２には外方から固定ネジ１３がねじ込まれる、そして、その固定ネジ１３の先端がケース５の溝１１に嵌まり込み、溝１１の底部を径方向に押し付ける。それにより、ホルダ４に対してケース５が軸方向並びに回転方向に固定される。また、固定ネジ１３を緩めることで、ホルダ４に対してケース５を回転させることができる。
【００１６】
ケース５の先端部（外方側の端部）には、ケース５を回転させるときに手で持って回転させやすいように対称位置に一対のピン１４が立設されている。
【００１７】
そして、このダイス調整保持器１は、伸線機本体２に固定された固定部材３に一対の支持部材１５Ａ，１５Ｂおよび調整ネジ１６を介して取り付けられる。一対の支持部材１５Ａ，１５Ｂは、図示の例では上下に配置されているが、これに限定されるものではなく、軸心に対し対称な位置（径方向対称位置）にあればよい。
【００１８】
一対の支持部材１５Ａ，１５Ｂは、固定部材３の対称位置にボルト締結されるもので、ホルダ４の鍔部４ａの外周面に被さる位置まで張り出し、その張り出した部分にそれぞれネジ孔１７が設けられている。そして、それらのネジ孔１７にそれぞれ外側から調整ネジ１６をねじ込むことで、それら調整ネジ１６の先端がホルダ４の鍔部４ａの外周面を上下から押さえる。それにより、ダイス調整保持器１が固定される。そして、それら一対の調整ネジ１６の調整により、ダイス調整保持器１はダイス孔の軸線に対し略直角に一方向（図示の例では上下方向）へ平行移動可能である。
【００１９】
ダイスナット１０には、後端部（ワイヤ挿通方向上流側の端部）に、伸線時に発生するスラッジや埃等の異物を除去しやすくするスラッジ孔１８が設けられている。
【００２０】
このダイス調整保持器１は、ケース５およびダイスナット１０等により、伸線用ダイス８を保持するダイス保持機構が構成され、ケース５の溝１１、ホルダ４のネジ孔１２、固定ネジ１３等により、保持した伸線用ダイス８をそのダイス孔（図示せず）の軸線を中心として回転させて回転位置を調整可能とする回転位置調整機構が構成され、支持部材１５Ａ，１５Ｂおよびそれらネジ孔１７、調整ネジ１６、ホルダ４の鍔部４ａ等により、伸線用ダイス８をそのダイス孔の軸線に対し略直角に一方向（図示の例では上下方向）へ平行移動させて軸線位置を調整可能とする軸線位置調整機構が構成されている。
【００２１】
このダイス調整保持器１によるダイス調整保持方法は次のとおりである。
まず、伸線機本体２側の固定部材３に支持部材１５Ａ，１５Ｂおよび調整ネジ１６を介してホルダ４を取り付け、伸線用ダイス８をケース５の内周段差部９にダイスナット１０の締め付けにより保持した状態で、伸線用ダイス８のダイス孔にワイヤ（図示せず）を通し、その伸線用ダイス８のダイス孔に通して引き抜いたワイヤの曲がり方向（曲がりクセの方向）を確認して、その曲がり方向が軸線位置調整機構により伸線用ダイス８を平行移動可能な方向と略一致するよう回転位置調整機構の操作により伸線用ダイス８の回転位置（ケース５の回転位置）を調整する。すなわち、曲がり方向が軸線位置調整機構によりホルダ４を介して伸線用ダイス８を平行移動可能な方向と略一致する方向（図示の例では上向きあるいは下向き）であるかどうかを見て、そうでないときは、固定ネジ１３を緩めて、曲がり方向が平行移動可能な方向（上向きあるいは下向き）になると見込まれる回転位置までケース５を回転させ、その位置で固定ネジ１３を締めてケースを固定し、再度ワイヤを引き抜いて曲がり方向を確認する。この調整をワイヤの曲がり方向が伸線用ダイス８を平行移動可能な方向（上向きあるいは下向き）に略一致するまで繰り返す。
【００２２】
そして、ワイヤの曲がり方向が軸線位置調整機構により伸線用ダイス８を平行移動可能な方向と略一致した（上向きあるいは下向きになった）段階で、軸線位置調整機構の操作により、伸線用ダイス８のダイス孔に通して引き抜いたワイヤに曲がりクセが略無くなるまでワイヤの曲がり方向に伸線用ダイス８を平行移動させて伸線用ダイス８のダイス孔の軸線位置を調整する。すなわち、ワイヤに曲がりクセが生ずるときは、一対の調整ネジ１６を操作して、ホルダ４の位置をワイヤの曲がり方向（上側あるいは下側）へ微調整し、再度ワイヤを引き抜いて曲がりクセの有無を確認する。この調整をワイヤの曲がりクセが略無くなるまで繰り返す。
【００２３】
こうして、伸線用ダイス８の回転と一方向への平行移動だけで、伸線機にセットされる伸線用ダイス８の位置をワイヤのダイス孔に対する当たりが均一で引き抜いたワイヤが真っ直ぐになるように調整することができる。
【００２４】
また、図２は本発明の実施形態の第２例を示している。
この実施形態において、ダイス調整保持器２０は、伸線機本体２１に固定された円環板状の固定部材２２に断面Ｓ字形（Ｕ字形でもよい）で漏斗状のゴムパッキン２３を介して支持されたダイス保持用の筒状のケース２４と、このケース２４の内部に伸線機本体２１に向く側から挿入されて伸線用ダイス２５をケース２４の内周段差部２６に押し付けて保持するダイスナット２７と、このダイスナット２７の後端部にねじ込まれ、伸線加工するワイヤの線径よりも孔径の大きいダイス孔を有するダイスであるワイヤ入線方向調整用のガイドダイス２８をダイスナット２７の後端側段差部２９に押し付けて保持するガイドダイスナット３０とを備えている。
【００２５】
ケース２４は、前側ケース部材２４Ａと後側ケース部材２４Ｂとからなる前後２分割構造で、ボルト連結で一体化されている。そして、その前側ケース部材２４Ａと後側ケース部材２４Ｂとの合わせ位置の内周部に内周段差部２６が形成され、前側ケース部材２４Ａと後側ケース部材２４Ｂとの合わせ位置の外周部には、周方向環状のガイド溝３１が形成されている。
【００２６】
ダイスナット２７は、先端ネジ部３２がケース２４の後側ケース部材２４Ｂの内周ネジ部３３にねじ込まれる。
【００２７】
そして、ケース２４のガイド溝３１には、連結リング３４が装着されている。連結リング３４は、ガイド溝３１の底部周面に沿って回転可能で、軸方向にはガイド溝３１の側壁部によって移動が規制される。
【００２８】
また、固定部材２２には、径方向対称位置（図示の例では上下位置）に、ケース２４外周のガイド溝３１に被さる位置まで張り出す支持部材３５Ａ，３５Ｂが固定されている。これら一対の支持部材３５Ａ，３５Ｂは、図示の例では上下に配置されているが、これに限定されるものではなく、軸心に対し対称な位置（径方向対称位置）にあればよい。そして、一方（図で上側）の支持部材３５Ａには、ガイド溝３１に向けて貫通するガイド穴３６が設けられている。また、他方（図で下側）の支持部材３５Ｂは、縦割り構造で、上記ガイド孔３６に対向してナット装着穴３７を形成している。
【００２９】
連結リング３４には、径方向対称位置にガイドバー連結孔３８およびネジ連結孔３９が設けられている。また、連結リング３４には、幅方向（リング軸方向）にネジ連結孔３９を軸方向に横切って貫通するピン孔４０が設けられている。
【００３０】
そして、この連結リング３４のネジ連結孔３９には、調整ネジ４１の頭部４２が挿入固定されている。調整ネジ４１の頭部４２は、連結リング３４のネジ連結孔３９を横切るピン孔４０と同径の連結孔４３を有するもので、ネジ連結孔３９に挿入された状態で連結リング３４のピン孔４０にピン４４が挿し込まれ、そのピン４４が連結孔４３を貫通することにより固定される。
【００３１】
そして、このように頭部４２が固定された調整ネジ４１のネジ部４５に、固定ナット４６が装着され、その後に更にロックナット４７が装着される。その状態で、固定ナット４６が支持部材３５Ｂのナット装着穴３７に装着される。
【００３２】
また、もう１つの支持部材３５Ａのガイド穴３６には、ガイドバー４８が摺動自在に挿入され、そのガイドバー４８の先端が連結リング３４のガイドバー連結孔３８に挿入され固定される。
【００３３】
ケース２４には、後側ケース部材２４Ｂの後部外周に軸方向前方側（図２の右側）が小径となるよう外周面が傾斜した鍔部４８が設けられている。そして、この後側ケース部材２４Ｂは、後部が漏斗状のゴムパッキン２３の小径部に固定された環状シール部材４９の内周にシール状態で嵌め込まれ、鍔部４８の傾斜した外周面がゴムパッキン２３を押し広げることにより軸方向後方側（図２の左側）へ付勢力を受けて、鍔部４８が環状シール部材４９に当接する位置に保持されている。ケース２４は、こうして後側ケース部材２４Ｂの部分で環状シール部材４９を介してゴムパッキン２３に支持され、回転方向には環状シール部材４９およびゴムパッキン２３の締め付けによる摩擦力で保持される。ただし、ケース２４は回転方向の外力を加えることで回転位置を調整することができる。
【００３４】
ケース２４には、先端部（外方側の端部）に、ケース２４を回転させるときに手で持って回転させやすいように対称位置に一対のピン孔５０が設けられている。
【００３５】
また、ケース２４は、固定ナット４６を回すことにより、ゴムパッキン２３を変形させつつ、ダイス孔の軸線に対し略直角に一方向（図示の例では上下方向）へ平行移動させることができる。図示の例では、固定ナット４６を回して調整ネジ４１を押し上げると、連結リング３４が持ち上がり、ケース２４は上方へ平行移動する。また、固定ナット４６を反対方向に回すと、調整ネジ４２が下がり、連結リング３４が下降して、ケース２４は下方へ平行移動する。
【００３６】
このダイス調整保持器２０は、ケース２４およびダイスナット２７等により、伸線用ダイス２６を保持するダイス保持機構が構成され、ゴムパッキン２３、ケース２４、後側ケース部材２４Ｂの後部外周の鍔部４８、環状シール部材４９等により、保持した伸線用ダイス２５をそのダイス孔（図示せず）の軸線を中心として回転させて回転位置を調整可能とする回転位置調整機構が構成され、ケース２４のガイド溝３１、連結リング３４、支持部材３５Ａ，３５Ｂ、調整ネジ４１、固定ナット４６、ガイドバー４８等により、伸線用ダイス２５をそのダイス孔の軸線に対し略直角に一方向（図示の例では上下方向）へ平行移動させて軸線位置を調整可能とする軸線位置調整機構が構成され、ダイスナット２７の後端側段差部２９、ガイドダイスナット３０等により、伸線加工するワイヤの線径よりも孔径の大きいダイス孔を有するワイヤ入線方向調整用のガイドダイス２８を伸線用ダイス２５のワイヤ挿通方向上流側に保持するガイドダイス保持機構が構成されている。
【００３７】
このダイス調整保持器２０によるダイス調整保持方法は次のとおりである。
まず、伸線機本体２１側の固定部材２２に取り付けられたゴムパッキン２３およびその小径部に固定された環状シール部材４９にケース２４の後側ケース部材２４Ｂを挿入し、ケース２４のガイド溝３１に外装した連結リング３４の調整ネジ連結孔３９に調整ネジ４１を連結し、固定ナット４６を装着して、支持部材３５Ｂのナット装着穴３７に固定ナット４６を装着し、支持部材３５Ａのガイド穴３６にガイドバー４８を挿入して、そのガイドバー４８の先端を連結リング３４のガイドバー連結孔３８に固定し、ロックナット４７を締め付け、伸線用ダイス２５をケース２４の内周段差部２６にダイスナット２７の締め付けにより保持し、ガイドダイスナット３０を締め付けてガイドダイス２８を保持した状態とする。そして、その状態で、ワイヤ（図示せず）をガイドダイス２８を経て伸線用ダイス２５のダイス孔に通し、その伸線用ダイス２５のダイス孔に通して引き抜いたワイヤの曲がり方向（曲がりクセの方向）を確認して、その曲がり方向が軸線位置調整機構により伸線用ダイス２５を平行移動可能な方向と略一致するよう回転位置調整機構の操作により伸線用ダイス２５の回転位置（ケース２４の回転位置）を調整する。すなわち、ワイヤの曲がり方向が軸線位置調整機構によりケース２４を介して伸線用ダイス２５を平行移動可能な方向と略一致する方向（図示の例では上向きあるいは下向き）であるかどうかを見て、そうでないときは、曲がり方向が平行移動可能な方向（上向きあるいは下向き）になると見込まれる回転位置までケース２４を回転させ、その位置で再度ワイヤを引き抜いて曲がり方向を確認する。この調整をワイヤの曲がり方向が平行移動可能な方向（上向きあるいは下向き）に略一致するまで繰り返す。
【００３８】
そして、ワイヤの曲がり方向が軸線位置調整機構により伸線用ダイス２５を平行移動可能な方向と略一致した（上向きあるいは下向きになった）段階で、軸線位置調整機構の操作により、伸線用ダイス２５のダイス孔に通して引き抜いたワイヤに曲がりクセが略無くなるまでワイヤの曲がり方向にケース２４を介して伸線用ダイス２５を平行移動させて伸線用ダイス２５のダイス孔の軸線位置を調整する。すなわち、ワイヤに曲がりクセが生ずるときは、固定ナット４６を回して調整ネジ４１を操作し、ケース２４の位置をワイヤの曲がり方向（上側あるいは下側）へ微調整し、再度ワイヤを引き抜いて曲がりクセの有無を確認する。この調整をワイヤの曲がりクセが略無くなるまで繰り返す。
【００３９】
こうして、伸線用ダイス２５の回転と一方向への平行移動だけで、伸線機にセットされる伸線用ダイス２５の位置をワイヤのダイス孔に対する当たりが均一で引き抜いたワイヤが真っ直ぐになるように調整することができる。
【００４０】
また、この実施形態のダイス調整保持器２０の場合、伸線加工するワイヤをガイドダイス２８を経て伸線用ダイス２５のダイス孔に通すことにより、伸線用ダイス２５のダイス孔に送られるワイヤのパスラインがガイドダイス２８によって固定され、伸線用ダイス２５へのワイヤ入線方向がガイドダイス２８を起点とする方向に調整される。そして、そのガイドダイス２８を起点とするワイヤのパスラインは短くなる。そのため、伸線用ダイス２５の位置調整、特に平行移動による軸線位置調整の際に、小さな調整幅でワイヤと伸線用ダイスとの当たり具合を調整でき、また、その間のワイヤのぶれが小さくなる。そして、ワイヤ入線方向に対し伸線用ダイス２５のダイス面が略垂直になるようにガイドダイス２８によってワイヤ入線方向を調整することができ、そうすることで、特に、伸線用ダイス２５を一方向へ平行移動させて軸線位置を調整する際に、小さい調整幅でワイヤのダイス孔に対する当たり具合を調整して曲がりクセが生じないようにすることができ、調整が容易で、調整作業にかかる時間も短くなる。
【図面の簡単な説明】
【００４１】
【図１】本発明の実施形態の第１例のダイス調整保持器の断面図である。
【図２】本発明の実施形態の第２例のダイス調整保持器の断面図である。
【符号の説明】
【００４２】
１、２０  ダイス調整保持器
２、２１  伸線機本体
３、２２  固定部材
４  ホルダ
５、２４  ケース
８、２５  伸線用ダイス
１０、２７  ダイスナット
１１  溝
１３  固定ネジ
１５Ａ，１５Ｂ、３５Ａ、３５Ｂ  支持部材
１６  調整ネジ
２３  ゴムパッキン
２８  ガイドダイス
３０  ガイドダイスナット
３４  連結リング
４１  調整ネジ
４６  固定ナット
４７  ロックナット
４８  ガイドバー
４９  環状シール部材
【図１】
2010110781.tif 000003
【図２】
2010110781.tif 000004